(57)【要約】【課題】半導体製造工程における情報管理を効率化すること。【解決手段】複数のボンディングパッドが設けられる表面上に、複数の升目状パターンを、該ボンディングパッドが配置される周辺領域に取り囲まれた領域に、良品、半良品、不良品の情報に応じて第１の方向と該第１の方向と垂直な第２の方向に配列して構成された二次元パターンが付加された半導体チップを準備する工程と、前記二次元パターンを認識する工程と、認識された前記二次元パターンの前記半良品の情報に基づいて、前記半導体チップ内の冗長回路を使用するように、前記半導体チップの周辺に配置された複数のリードと前記複数のボンディングパッドとを複数のワイヤによって接続する工程と、を有する、半導体装置の製造方法が提供される。【選択図】図３
2011124587.tif 000002
【特許請求の範囲】
【請求項１】
複数のボンディングパッドが設けられる表面上に、複数の升目状パターンを、該ボンディングパッドが配置される周辺領域に取り囲まれた領域に、良品、半良品、不良品の情報に応じて第１の方向と該第１の方向と垂直な第２の方向に配列して構成された二次元パターンが付加された半導体チップを準備する工程と、
前記二次元パターンを認識する工程と、
認識された前記二次元パターンの前記半良品の情報に基づいて、前記半導体チップ内の冗長回路を使用するように、前記半導体チップの周辺に配置された複数のリードと前記複数のボンディングパッドとを複数のワイヤによって接続する工程と、
を有することを特徴とする、
半導体装置の製造方法。
【請求項２】
前記二次元パターンのためのマスクを用いてウェハ状態で前記周辺領域に取り囲まれた領域内に二次元パターンを投影露光する工程と、
前記ウェハをダイカットして個片化した前記半導体チップとする工程と、
をさらに有することを特徴とする、
請求項１に記載の半導体装置の製造方法。
【請求項３】
前記二次元パターンのためのマスクは、二次元パターンとして記録したい情報に基づいて複数の升目部それぞれを透光とするか遮光とするか変更可能な液晶マスクであることを特徴とする、
請求項２に記載の半導体装置の製造方法。
【発明の詳細な説明】
【技術分野】
【０００１】
本発明は、半導体装置の製造方法に関する。
【背景技術】
【０００２】
半導体装置の製造工程は、一般に非常に多くの工程から構成されている。代表的な半導体装置の製造工程を見ると、まずウェハ処理工程において、ウェハ面上にホトリソグラフィ工程、エッチング工程、洗浄工程などを反復して必要な半導体チップを形成する。次いで、プローブ装置によりウェハ上に形成された各チップの良不良を検査して、マッピングデータを取得した後、ウェハ組立工程に送る。ウェハ組立工程では、まずダイシング工程でウェハを各ダイに分割する。次いで、ボンディング工程で、マッピングデータに応じて良品のダイをピックアップしてリードフレームに装着する。さらにワイヤボンディング工程で、半導体チップ上の接続電極と外部引出用端子の間をワイヤボンディングで接続する。そして、パッケージング工程において、熱硬化性樹脂で半導体チップのモールド成形を行い、パッケージの表面に所定の情報をマーキングすることにより、半導体装置が完成する。
【０００３】
以上のように、半導体装置が完成するまでには、非常に多くの複雑な工程が必要であり、各工程において半導体製品の情報管理を正確に行っていく必要がある。この点、従来の半導体製造工程では、同一規格の半導体装置を大量生産して、そのスケールメリットを生かすことに主眼が置かれていたため、工程内物流する半導体装置の情報管理も比較的容易であった。すなわち、従来の半導体製造工程では、同一製造方法で処理される半導体装置は、一つのロットとしてまとめて工程内物流を行うため、各ロットは通常同一の条件で処理されることが多く、その情報管理も比較的容易であった。
【０００４】
しかしながら、近年、半導体装置が一般商品や産業用部品として広く使用される至り、例えばＡＳＩＣ（特定用途向ＩＣ）やＳＯＳ（システム・オン・シリコン）のように、半導体装置に対しても多品種少量生産の市場要求が高まってきている。かかる特定用途向けの半導体装置では、例えば、数量面では１枚のウェハで複数品種を作り込むことで十分な量の場合もある。
【０００５】
また一方で、大容量メモリチップのように、チップの一部が良品であれば製品として出荷できるような場合もあり、同一ウェハ内のチップに関しても、各チップごとに個別に情報管理する必要性も生じてきている。
【０００６】
この点、従来の半導体製造工程においても、ウェハ上の半導体チップや樹脂封止された半導体パッケージの表面に数字やアルファベットのようなＩＤ情報をマーキングすることにより、半導体装置の工程内物流を管理することが行われていた。しかしながら、数字やアルファベットでは、記録できる情報量に限界があり、また数字やアルファベットは読取時にエッジ認識処理を行う必要があり、その認識作業が困難であり、さらに汚れ、傷などにも弱いという問題があった。
【０００７】
この点、光学装置による読取り作業を容易に行えることから、半導体製造工程の半導体装置の工程内物流においては、一次元バーコードパターンを利用して、各種情報を記録することも行われている。しかし、単位面積あたりの一次元バーコードパターンに記憶できる情報量には限界があり、一次元バーコードパターンに乗せたい情報量が増えればそれだけ一次元バーコードパターンの面積も増加するため、一次元バーコードパターンによる情報管理は、情報記憶スペースに限界がある半導体装置を扱うすべての半導体製造工程において使用できるものではなかった。
【発明の概要】
【発明が解決しようとする課題】
【０００８】
本発明は、従来の半導体製造工程の工程内物流における半導体装置の情報管理に関する上記問題点に鑑みてなされたものであり、ウェハ上に配列されるチップごとに、あるいは半導体チップがボンディングされるリードフレームごとに、あるいは樹脂封止された半導体チップのパッケージ製品ごとに個別に情報管理を行うことが可能な、新規かつ改良された半導体装置の製造方法を提供することである。
【０００９】
さらに本発明の別の目的は、半導体装置の限定された微小空間に各種情報を記録して、半導体製造工程の工程内物流の効率化及び正確化を図ることが可能な、新規かつ改良された半導体装置の製造方法を提供することである。
【００１０】
さらに本発明の別の目的は、比較的廉価な産業用の光学装置により、各チップや各リードフレームや各製品チップに付されたＩＤ情報の取得を容易に行うことが可能であり、しかも汚れや傷などが生じても、信頼性の高い情報取得を行うことが可能な、新規かつ改良された半導体装置の製造方法を提供することである。
【００１１】
さらに本発明は、登録された製品ＩＤ情報に製造工程履歴情報や出荷後のフィールドでのクレーム情報などの各種付加的情報を関連づけることにより、出荷された製品のメンテナンス時にもユーザフレンドリなサービスを提供することが可能な、新規かつ改良された半導体装置の製造方法を提供することである。
【課題を解決するための手段】
【００１２】
上記課題を解決するために、本発明のある観点によれば、複数のボンディングパッドが設けられる表面上に、複数の升目状パターンを、該ボンディングパッドが配置される周辺領域に取り囲まれた領域に、良品、半良品、不良品の情報に応じて第１の方向と該第１の方向と垂直な第２の方向に配列して構成された二次元パターンが付加された半導体チップを準備する工程と、前記二次元パターンを認識する工程と、認識された前記二次元パターンの前記半良品の情報に基づいて、前記半導体チップ内の冗長回路を使用するように、前記半導体チップの周辺に配置された複数のリードと前記複数のボンディングパッドとを複数のワイヤによって接続する工程と、を有する、半導体装置の製造方法が提供される。
【発明の効果】
【００１３】
以上説明したように本発明によれば、チップＩＤ情報に基づいて、ウェハ上に配列されるチップごとに、あるいはチップがボンディングされたリードフレームごとに、あるいは樹脂封止された半導体チップのパッケージ製品ごとに、それぞれ固有の二次元バーコードパターンを付することにより、チップごと、フレームごと、樹脂封止された製品チップごとに個別に情報管理を行うことが可能であり、半導体製造工程における各処理工程、物流工程、出荷工程、クレーム処理工程など、半導体製造に関するすべての工程において半導体装置の情報管理の効率化及び精度を向上させることができる。
【図面の簡単な説明】
【００１４】
【図１】本発明に適用可能な二次元バーコードの実施の一形態の概略構成を示す説明図である。
【図２】従来の一次元バーコードの概略構成を示す説明図である。
【図３】本発明に基づいて半導体チップ上に形成される二次元バーコードパターンの実施の一形態を示す説明図である。
【図４】本発明に基づいて半導体チップ上に二次元バーコードパターンを投影露光するために使用される液晶マスクの実施の一形態を示す説明図である。
【図５】ウェハ上に形成される各種品質のチップの配列状態を示す説明図である。
【図６】データサーバに格納されるマッピングデータテーブルの例を示しており、（ａ）は従来のマッピングデータテーブルの一例であり、（ｂ）は本発明にかかるマッピングデータテーブルの一例を示している。
【図７】本発明を適用可能な組立工程情報管理システムの概略構成を示すシステム構成図である。
【図８】図７に示す組立工程情報管理システムのダイスボンダにおける情報照会／取得シーケンスを示す流れ図である。
【図９】本発明に基づいて、所定のチップがボンディングされたリードフレーム上に付された二次元バーコードパターンの実施の一形態を示す説明図である。
【図１０】本発明に基づいてボンディング工程においてリードフレームに二次元バーコードパターンを付することが可能なダイスボンダの概略構成を示す構成図である。
【図１１】本発明に基づいてリードフレームに関して作成されるチップ情報テーブルの一例を示す説明図である。
【図１２】本発明にかかる組立工程情報管理システムにおいて作成される組立工程条件に関する情報テーブルの一例を示す説明図である。
【図１３】図７に示す組立工程情報管理システムのダイスボンダにおける情報照会／取得シーケンスの他の例を示す流れ図である。
【図１４】ワイヤボンダによるチップのボンディングパッドとリードとを配線する様子を示す説明図である。
【図１５】図７に示す組立工程情報管理システムのワイヤボンダにおける情報照会／取得シーケンスの一例を示す流れ図である。
【図１６】本発明をボンディング工程に適用した場合において、チップＩＤ情報認識を行いながらワイヤボンディング処理を行う工程を示す流れ図である。
【図１７】パッケージに文字情報及び二次元コードパターンが捺印された状態を示す説明図である。
【図１８】図７に示す組立工程情報管理システムの捺印機における情報照会／取得シーケンスの一例を示す流れ図である。
【図１９】図７に示す組立工程情報管理システムの捺印機における情報照会／取得シーケンスの他の例を示す流れ図である。
【図２０】本発明を適用可能なチップソータの概略構成を示す構成図である。
【図２１】本発明に基づいて各チップの処理履歴が格納された情報テーブルの一例を示す説明図である。
【図２２】図２１に示す情報テーブルにさらに出荷情報やクレーム情報を付加した情報テーブルの一例を示す説明図である。
【発明を実施するための形態】
【００１５】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１６】
まず、図１には、本実施の形態に適用可能な二次元バーコードパターンの一例が示されている。図示のように、二次元バーコードパターン１０は、二次元的に展開する升目１１を予め決められた規則に沿って白黒に塗り分けることにより所定の情報を記録することが可能な二次元パターンである。なお、二次元パターンの升目を塗り分けるコード化規則等については、従来のものを利用したり、また新たに創作することが可能であるが、その塗り分け方法については、本発明の要旨とは直接関係ないので、その詳細説明は省略する。ただし、当該コード化規則には、データ誤り検出をコード化することも可能であり、その場合には、後述するように、各チップや各フレームや樹脂封止された各半導体チップに記録された二次元バーコードパターンを読み取る際の誤りを軽減することが可能である。
【００１７】
ここで、従来、各種情報を記録することが可能なパターンとして使用されている一次元バーコードパターンについて、本発明に適用される二次元バーコードパターンとの比較において説明する。
図２に、典型的な一次元バーコードパターンの例を示すが、図示のように、一次元バーコードパターン２０は、数種の幅の黒白の平行バー２１と、光学式文字認識が可能な字体の文字で構成された文字列２３から構成されている。しかしながら、かかる一次元バーコードパターン２０は、単位面積あたりのパターンに記録できる情報量には限界があり、一次元バーコードパターンに記録したい情報量が増えれば増えるだけ、一次元バーコードパターンの面積も増加するため、一次元バーコードパターンは情報記憶スペースに限界がある半導体装置を扱うすべての半導体製造工程の情報管理にそのまま使用できるものではなかった。
【００１８】
これに対して、発明者の知見によれば、本発明において採用される二次元バーコードパターンは、従来の文字情報パターンや一次元バーコードパターンに比較して、次のような優れた特徴を有している。
（１）単位面積当たりの情報記録量が一次元バーコードに比較して遥かに多く、またパターンの寸法も自由に設定できるので、パターンを付する空間に制限がある用途に適している。
（２）パターンの形成方法も容易であり、パターンを形成する部位に応じて、各種の従来技術を応用することができる。
（３）パターンの光学的認識が容易であり、しかも、汚れ、傷などにも強く、読取り方向の自由度にも優れているので、情報読取装置に要するコストを廉価に抑えることができる。
（４）パターンにデータ誤り検出用のコードを含ませることが可能であり、したがって、パターンの読取誤りを最低限に抑えることができる。
【００１９】
本発明者は、二次元バーコードパターンが有する上記のような特徴に鑑み鋭意検討した結果、二次元バーコードパターンを半導体製造工程の各種段階で利用することにより、半導体製造工程の工程内物流において、効率的かつ正確な情報管理を行うことが可能な本発明に想到したものである。
【００２０】
以下、半導体製造工程の各段階において二次元バーコードを利用した実施の形態について詳細に説明する。
【００２１】
１．  ウェハプロセスにおける実施の形態
本実施の形態によれば、ウェハプロセス時において、チップＩＤ情報としての二次元バーコードパターン３０が、図３に示すように、各ウェハに形成された各チップ３１−１〜３１−３の所定位置（例えば、図示の例では、左下方位置）にそれぞれ二次元バーコードパターン３０−１〜３０−３として記録される。チップＩＤ情報を記録するには、例えば、ウェハプロセスの最終工程付近において実施される配線工程のホトリソグラフィ工程において、投影露光時にチップの所定箇所にチップＩＤ情報に相当する二次元バーコードパターンを投影露光することができる。
【００２２】
図４には、チップＩＤ情報を各チップ上に投影露光するための液晶マスクの実施の一形態が示されている。この液晶マスク４０は、各升目の液晶配列を変更し、二次元バーコードパターンに相当する透光／遮光パターンをマスク面上に表現することができるものである。チップＩＤ発生部４１では、各チップごとに製品名、ロットＩＤ、チップ位置座標などのチップＩＤ情報を求める。二次元バーコード変換部４２では、チップＩＤ発生部４１から送信されるチップＩＤ情報を二次元バーコードパターンに変換する。液晶ドライバ４３は液晶マスク４０の各升目の透光／遮光パターンを適宜変更して、二次元バーコード変換部４２において二次元バーコードパターンに変換された透光／遮光パターンを液晶ドライバ４３にて、液晶マスク４０上に表現する。
【００２３】
そして、かかる液晶マスク４０を用いて、不図示の投影露光装置により、各チップの所定位置にショット露光することにより、各チップごとに固有の二次元バーコードパターンを焼き付けることができる。後は通常の処理と同様のホトリソグラフィ工程とエッチング工程を行うことにより、各チップごとに固有の二次元バーコードパターンを形成することができる。なお、上記例では、各チップごとに異なる二次元バーコードパターンを付する例を示したが、もちろん各チップに対して同一の二次元バーコードパターンを付することも可能であることは言うまでもない。
【００２４】
以上のように、本実施の形態によれば、ウェハの各チップに対して、各チップを区別するためのチップＩＤ情報を非常に少ない面積で付加することが可能となり、従来不可能であった各チップごとの区別が、ウェハ面上の各チップごとに個別に可能となる。また、ウェハプロセスの配線工程において、チップ上に二次元バーコードパターンを形成すれば、二次元バーコードパターン付加用のスペースを別途設けずとも、各チップごとにチップＩＤ情報を記録することができる。さらに、図４に示すような、液晶マスク４０を利用すれば、同一のマスクで各チップごとに異なるチップＩＤ情報を記録することができる。
【００２５】
２．  ウェハ組立工程における実施の形態
次に、上記のように各チップごとに記録されたチップＩＤ情報を半導体製造工程のウェハ組立工程において利用する実施の一形態について説明する。
【００２６】
一般に、半導体製造プロセスでは、ウェハプロセスにおいて各ウェハ上にチップを形成した後に、プローバ装置により、各チップごとの良不良を検査している。図５には、プローブ工程において検査されたウェハ５０上の良品チップ５１（図５中で白塗りの矩形）、半良品チップ５２（図５中で斜線を付した矩形）、不良チップ５３（図５中で黒塗りの矩形）の配列例が示されている。そして、プローブ検査の結果は、図６（ａ）に示すようなマッピングデータとして管理されている。なお、半良品チップ５２の中には、配線等の変更を加えれば出荷可能になるものも含まれており、後述するように、本実施の形態によれば、各チップごとに個別に情報管理が可能なので、かかる半良品チップ５２も容易に出荷可能にすることができ、製品の歩留まりを向上させることができる。
【００２７】
図７には、各チップごとに固有のチップＩＤ情報を含むマッピングデータ、及び後述する各種情報テーブルを利用した、組立工程情報管理システム７０の概略構成が示されている。
図示のように、プロービング工程により取得された情報は、プロービング用ＬＡＮ７１からブリッジ７２を介して組立工程用ＬＡＮ７３に送られ、データサーバ７４内のデータベース７５内に格納される。組立工程用ＬＡＮ７３には、各組立工程を実行する半導体製造装置、例えば、ダイカットされたチップをピックアップしてリードフレームに装着するダイスボンダ（ＤＢ）７６、チップ上の電極と外部引出用端子とをワイヤボンディングで接続するワイヤボンダ（ＷＢ）７７、熱硬化性樹脂でパッケージングされたパッケージの表面にマーキングを行う捺印機７８、パッケージに捺印された情報に基づいてチップの分類を行うチップソータ７９などが接続されている。
以下、チップ組立工程における各半導体製造装置での、本発明にかかるＩＤ情報管理の応用例について詳細に説明することにする。
【００２８】
（Ａ）ダイスボンダにおける実施の形態
最初に、ダイスボンダ（ＤＢ）７６における各チップＩＤ情報に基づく情報管理について説明する。
図８に示すマッピングデータ取り込みシーケンス８０では、まず、ダイスボンダ（ＤＢ）７６側から、データサーバ７４に対して、これからボンディング処理を行うロットＩＤを照会する（Ｓ８１）。すると、データサーバ７４は、照会のあったロットに関するウェハマッピングデータ（図６（ｂ）参照。）をデータベース７５から取り出して、ダイスボンダ（ＤＢ）７６に転送する（Ｓ８２）。ダイスボンダ（ＤＢ）７６では、送られてきたマッピングデータに基づいてダイスボンディング処理を行う（Ｓ８３）。その際に、本実施形態によれば、図６（ｂ）に示すように、マッピングデータには各チップＩＤ情報が関連づけられているので、ダイスボンダ（ＤＢ）７６で各チップをピックアップする際に、各チップの二次元バーコードを直接画像認識して、各チップごとにマッピングデータとの照合を行うことができる。その結果、ダイスボンド時の誤ピックアップをさらに減少することができる。そして、ボンディング処理が完了すると、終了信号がサーバ７４に送られ、データベース７５に格納され（Ｓ８４）、次の工程に進む。
【００２９】
以上のように、ダイスボンダ（ＤＢ）７６において、各チップごとに付されたチップＩＤ情報を利用することにより、ウェハ面の座標という位置情報のみが頼りだった従来の装置に比較して、処理時に各チップＩＤ情報を適当な光学装置により直接認識して、マッピングデータと照合することが可能となるので、ダイスボンド時のチップの誤ピックアップの発生率を減少させることができる。
【００３０】
以上、各チップに直接マーキングされるチップＩＤ情報が記録された二次元バーコードパターンの利用について説明したが、図９に示すように、二次元バーコードパターン９１を、各チップ９２がボンディングされる各フレーム９３に付することにより、フレームＩＤ情報を各フレーム９３に記録することも可能である。
【００３１】
図１０は、フレームＩＤ情報を各フレームにマーキングするためのダイスボンダの実施の一形態を示している。図示のダイスボンダ１００の概略構成について説明すると、ウェハリング収納マガジン１０１にはボンディング処理前のチップが装着されたウェハリング１０２が収納されており、そこから、不図示の搬送アームにより、該当するウェハリング１０２が取り出されて処理ステージに移載される。ボンディングアーム１０３は、ウェハリング１０２からボンディング対象となるチップを取り出して、ボンディングヘッド部１０４に移載する。ボンディングヘッド部１０４には、リードフレーム収納マガジン１０５に収納されたリードフレームがリードフレーム供給装置１０６により適宜供給され、リードフレーム上の所定位置にチップがボンディングされる。なお、符号１０７は、リードフレーム上にボンディングされるチップの位置補正及び各チップに付されたチップＩＤ情報を認識するための画像認識装置である。このようにして、ボンディング処理が終了したリードフレームは、マーキング部に移載され、そこでフレームＩＤ情報印刷用レーザ装置１０８により所定位置にフレームＩＤ情報としての二次元バーコードパターンが印刷された後、不図示の搬送アームにより、リードフレーム収納マガジン１０５に収納される。又、ボンディングの終了したウェハリングはウェハリング収納マガジン１０９に戻される。
【００３２】
以上説明したように、図１０に示すようなダイスボンダ１００を用いて、各フレーム９３に固有の二次元バーコードパターン９１を付加することにより、従来、各フレームを見ても区別がつかなかったチップ付リードフレームを識別することが可能となる。
【００３３】
次に、図７に示すようなチップ組立工程システムにおいて、フレームＩＤ情報を利用する一例について説明する。なお、図１１には、データサーバ７４のデータベース７５に格納されて管理されるリードフレームのチップ情報テーブルの一例が示されており、図示のように、リードフレームのチップ情報テーブルには、フレームＩＤ情報、チップ数、各チップＩＤ情報などが記録されており、フレーム上の二次元バーコードパターンや各チップ上の二次元バーコードパターンと関連づけられて管理されている。
さらに、図１２には、データサーバ７４において管理される各チップの製造条件情報テーブルの一例が示されており、図示のように、各チップの製造条件情報テーブルには、各チップＩＤ、製品コード、ウェハプロセスのフロー番号、プロービングカテゴリコードなどの基礎データに加えて、各組立工程に関する装置種類、製造条件、処理日時、処理装置、収集データなどが記録され、フレーム上の二次元バーコードパターンや各チップ上の二次元バーコードパターンと関連づけられて管理されている。
【００３４】
上記のように、フレーム上の二次元バーコードパターンや各チップ上の二次元バーコードパターンに関連づけてフレームＩＤ情報やチップＩＤ情報を管理することにより、ある製造装置から、フレームＩＤ情報に基づいてそのフレームにボンディングされているチップＩＤ情報に関する照会があれば、データサーバ７４は、そのフレームに関する情報テーブルを検索し、その情報テーブルに記録されているデータに基づいて、そのフレームにボンディングされているチップＩＤ情報を応答することが可能となり、半導体装置製造工程の物流管理を効率的に行うことができる。
【００３５】
次に、図１３に示すシーケンス１３０を参照しながら、ダイスボンダ７６とデータサーバ７４間における情報の照会／取得処理のさらに別の例について説明する。
まず、ダイスボンダ（ＤＢ）７６は、データサーバ７４にこれからボンディング処理を行うロットＩＤを照会する（Ｓ１３１）。すると、サーバ７４は、照会のあったロットに関するウェハマッピングデータをデータベース７５から取り出して、ダイスボンダ（ＤＢ）７６に転送する（Ｓ１３２）。ダイスボンダ（ＤＢ）７６では、送られてきたマッピングデータに基づいてダイスボンディング処理を行う（Ｓ１３３）。その際に、本実施の形態によれば、マッピングデータには各チップＩＤ情報が関連づけられているので、ダイスボンダ（ＤＢ）７６で各チップをピックアップする際に、各チップの二次元バーコードを直接画像認識して、各チップごとにマッピングデータとの照合を行うことが可能なので、ダイスボンド時の誤ピックアップが生じにくい。
【００３６】
そして、１フレーム分のボンディング処理が終了すると（Ｓ１３４）、ダイスボンダ（ＤＢ）７６は、処理が終了したフレームＩＤ情報とそのフレームにボンディングされたチップＩＤ情報をデータサーバ７４に通知して、データベース７５内の図１１及び図１２に示すような情報テーブルを更新する（Ｓ１３５）。次いで、ダイスボンダ（ＤＢ）７６は、次のフレームに対するボンディング処理をマッピングデータに基づいて行い（Ｓ１３６）、そのフレームに対するボンディング処理が完了すると（Ｓ１３７）、処理が終了したフレームＩＤ情報とそのフレームにボンディングされたチップＩＤ情報をデータサーバ７４に通知して、データベース７５内の情報テーブルを更新する（Ｓ１３８）。以下、同様の手順を反復して、データサーバ７４から情報の提供を受けたロットに関するボンディング処理が完了すると、その旨をデータサーバ７４に報告し（Ｓ１３９）、次の工程に進む。
【００３７】
以上のように、本実施の形態によれば、データサーバ７４の情報テーブルに記録された各チップに関する情報を、各チップに記録された二次元コードパターン及び各フレームに記録した二次元コードパターンに関連づけて管理するので、以降の工程内物流工程の効率化を図るとともに、情報管理精度を高めることができる。例えば、以降の製造装置において、適当な画像認識装置によりフレームＩＤ情報を認識できれば、そのフレームにボンディングされているチップＩＤ情報及び各チップの製造条件をデータサーバ７４に格納されている情報テーブルから取り込むことが可能となり、各チップに対応した正確な処理を行うことが可能である。
【００３８】
（Ｂ）ワイヤボンダにおける実施の形態
次に、上記情報利用の具体例として、データサーバ７４に格納された情報テーブルと各チップ及び各フレームに記録された二次元バーコードをワイヤボンディング工程で利用した実施の形態について説明する。
【００３９】
図１４は、ワイヤボンディング工程におけるチップとリード間の配線の概要を示しており、本実施の形態にかかるワイヤボンディング工程では、図示のように、二次元コード１４１が配されたチップ１４２の周辺領域に配置されたボンディングパッド１４３とリード１４４間に配線１４５を配線するにあたり、図１５に示すような情報照会／取得処理シーケンス１５０が行われる。
【００４０】
以下、図１５及び図１６を参照しながら、ワイヤボンディング工程における情報照会／取得処理シーケンス１５０について説明すると、まずワイヤボンダ（ＷＢ）７７は、これから処理をしようとするロットＩＤをデータサーバ７４に照会する（Ｓ１５１）。その照会に応じて、データサーバ７４は、データベース７５に格納された情報テーブルから対象となるロットの配線情報とマッピングデータを取り出し、ワイヤボンダ（ＷＤ）７７に返送する（Ｓ１５２）。なお、ロットの配線情報には各チップの配線パターンや各チップのカテゴリデータなどが含まれる。
【００４１】
そして、ワイヤボンダ（ＷＢ）７７は、送られてきた情報に基づいてボンディング（配線）処理を行うのであるが、次に、図１６を参照しながら、本実施の形態にかかるボンディング処理工程について説明する。まず、ワイヤボンダ（ＷＢ）７７は、ロットＩＤに基づく品種配線情報とマッピングデータをデータサーバ７４から取り込み（Ｓ１６１）、該当するチップをボンディングステージへ供給する（Ｓ１６２）。ワイヤボンダ（ＷＢ）７７は、適当な画像認識装置によりフレーム及びチップ上のＩＤ情報を認識する（Ｓ１６３）。そして、認識したＩＤ情報に基づいて、マッピングデータより該当するカテゴリコードを取得し（Ｓ１６４）、そのカテゴリの種類に応じて配線パターンをボンダ内の制御部（図示せず）に設定する（Ｓ１６５、Ｓ１６６−１、Ｓ１６６−２、…、Ｓ１６６−Ｎ）。
【００４２】
ここで、図５に示すように、ウェハ５０内には、良品チップ５１、半良品チップ５２及び不良品チップ５３が存在するが、半良品チップ５２の中には冗長回路に配線パターンを変更することにより出荷可能な製品が存在する。そのような場合には、本実施の形態によれば、各チップごとに個別に認識されたチップＩＤ情報に基づいて最適な配線カテゴリを設定することにより、半良品チップ５２を出荷可能にし、歩留まりを向上させることができる。
【００４３】
そして、各チップごとに設定された配線パターンに応じた配線座標を使用して各チップ１４２のボンディングパッド１４３とリード１４４との配線を実施する（Ｓ１６７）。そして、ワイヤボンダ（ＷＢ）７７は、所定のボンディング処理が終了すると、図１５に示すように、その旨をサーバ７４に報告し（Ｓ１５４）、次の工程に進む。
【００４４】
以上説明したように、本実施の形態によれば、ワイヤボンディング時に適当な画像認識装置により、各チップのＩＤ情報を直接認識し、各チップ種類ごとに設定される配線パターン及び各チップのプロービング時のカテゴリコードに応じて配線パターンを変更してワイヤボンディング処理を行うことができる。その結果、同一ウェハから作成されたチップに対して、各チップごとに配線パターンが異なる場合であっても、従来の装置のように、その都度段取り変更を行わなくても、ボンディング処理を行うことが可能となり、処理の効率化、高速化を図ることができる。
【００４５】
（Ｃ）  捺印機における実施の形態
次に、図７に示す組立工程情報管理システムの捺印機７８において、本発明にかかるチップＩＤ情報及びフレームＩＤ情報を利用する実施の形態について説明する。この場合にも、各ＩＤ情報と関連してデータサーバ７４に格納されたリードフレームのチップ情報テーブル（図１１）や、製造条件情報テーブル（図１２）を利用して、処理の効率化を図ることができる。
【００４６】
その第１の例として、図１７に示すような半導体チップを樹脂によりパッケージした各半導体装置１７１のパッケージ表面に所定の捺印情報を捺印する際の情報照会／取得シーケンス１８０について、図１８を参照しながら説明する。まず、捺印機７８は、各リードフレームの端にレーザ等で印刷されたフレームＩＤ情報を、適当な画像認識装置により認識する（Ｓ１８１）。次いで、捺印機７８は、認識したリードフレームＩＤ情報をデータサーバ７４に照会する（Ｓ１８２）。データサーバ７４は、照会を受けてデータベース７５内に格納されている情報テーブルから、必要な情報、例えばそのリードフレーム内にボンディングされているチップの配置及びＩＤ情報と各チップの捺印パターンや捺印製品名及びチップの付属情報などを取り出し、捺印機７４に転送する（Ｓ１８３）。捺印機７４は、取得した情報に基づいて、製品名、特性コードなどの捺印文字１７２（図１７）から成る捺印パターンを形成し、例えばレーザ装置によりモールド後のパッケージ外周面に捺印を行う（Ｓ１８４）。そして、１フレーム分の捺印が完了すると、その旨をサーバ７４に報告し（Ｓ１８５）、次の工程に移る。
【００４７】
以上説明したように、図１８に示す実施形態によれば、各チップごとに決定される製品名や、各チップの特性に応じて決定される捺印付属情報を、フレームに付されたＩＤ情報を読み込んでデータサーバ７４に情報照会することにより取得することが可能なので、モールド後の内部チップが見えない状態であっても、個別チップに応じた捺印を行うことが可能である。
【００４８】
なお、図１８に示す実施の形態では、フレームＩＤ情報及びチップＩＤ情報に基づいて所定の捺印文字を捺印形成したが、本発明はかかる例に限定されず、捺印情報として各チップＩＤ情報としての二次元バーコードパターン自体を捺印することも可能である。次に、かかる実施の形態について、図１９に示すシーケンス１９０を参照しながら説明する。
【００４９】
まず、先の実施の形態と同様に、捺印機７８は、各リードフレームの端にレーザ等で印刷されたフレームＩＤ情報を、適当な画像認識装置により認識する（Ｓ１９１）。次いで、捺印機７８は、認識したリードフレームＩＤ情報をサーバ７４に照会する（Ｓ１９２）。サーバ７４は、照会を受けてデータベース７５内に格納されている情報テーブルから、必要な情報、例えばそのリードフレーム内にボンディングされているチップの配置及びＩＤ情報と各チップの捺印パターンや捺印製品名及びチップの付属情報などを取り出し、捺印機７４に転送する（Ｓ１９３）。捺印機７４は、取得した情報に基づいて、図１７に示すように、製品名、特性コードなどの文字情報１７２に加えてチップＩＤ情報１７３を含む捺印パターンを形成し、例えばレーザ装置によりモールド後のパッケージ外周面に捺印を行う（Ｓ１９４）。そして、１フレーム分の捺印が完了すると、その旨をサーバ７４に報告し（Ｓ１９５）、次の工程に移る。
【００５０】
以上のように、図１９に示す実施の形態によれば、パッケージ表面に通常の捺印情報に加えてチップＩＤ情報も捺印されるので、作業者はそのチップＩＤ情報を所定の画像認識装置により認識し、サーバ７４に情報照会することにより、各チップごとに情報管理を行うことができる。また、フィールドにおいても、各チップＩＤ情報をキー情報として利用することが可能となり、メンテナンスなどのサービスの質の向上を図ることができる。
【００５１】
（Ｄ）チップソータにおける実施の形態
図２０には、同時に製造される多数品種の製品を分類するためのチップソータ７９の概略構成が示されている。図示のように、チップソータ７９は、ソーティング前のチップ収納トレー２０１に収納されたチップを、チップ移送部２０２により左右に移動自在に構成されたチップ移載ヘッド２０３にてピックアップして、画像認識部２０４に移載する。そして、ソータ制御部２０５は、画像認識部２０４において、チップ上に捺印された捺印情報を認識し、認識されたチップのロットＩＤをサーバ７４に照会する。その照会を受けてサーバ７４は情報テーブルから必要情報を取得して、ソータ制御部２０５に転送する。ソータ制御部２０５は転送された識別情報によりソーティングを行い、該当する収納トレー２０６−１、２０６−２、２０６−３を選択し、各チップを選択された収納トレー２０６−１、２０６−２、２０６−３のいずれかにソーティングする。
【００５２】
以上のように、図２０に示す実施の形態では、同一フレーム内において各種のチップが製造された場合であっても、各チップの捺印情報を識別して、サーバ７４に格納されている情報テーブルに照会することにより、同一種類のチップだけを自動的に集めてソーティングすることが可能である。なお、チップソータにおいては、各チップのパッケージに捺印された文字情報のみを認識して、情報テーブルに格納されたチップＩＤ情報と照合するように構成することも可能であるが、もちろん、各チップのパッケージにチップＩＤ情報も捺印されている場合には、そのＩＤ情報に記憶された各チップの特性値なども識別して、ソーティングすることができる。かかる構成によれば、捺印上は同一製品でも特性分類別に各チップをソーティングすることが可能となり、例えばメモリなどのように、同一製品名であってもアクセスタイムに応じて細かい分類が必要な場合であっても、効率的にソーティング作業を実施することができる。
【００５３】
（３）その他の実施の形態
以上、本発明にかかる二次元コードを組立工程に応用した例について説明したが、本発明はかかる例に限定されず、各チップごとの固有のチップＩＤ情報に関連させて、処理履歴も含めた情報テーブルを管理することにより、組立後のテスト工程や物流工程などの最終工程や、さらには製品出荷後のメンテナンス作業の効率化をも図ることが可能である。
【００５４】
図２１には、上記のような工程または作業において利用される各チップの処理履歴が格納された情報テーブルの一例が示されている。図示のように、このチップＩＤ情報テーブルは、ウェハプロセスにおける処理履歴情報、組立工程における処理履歴情報、さらにプロービングやチップ状態検査によるテストデータなどを含んでいる。
【００５５】
かかるチップＩＤ情報テーブルを利用すれば、チップＩＤ情報をキー情報としてデータサーバ７４のデータベース７５に格納されている上記情報テーブルから必要な情報をチップごとに検索することが可能である。従来、半導体製造工程中のある工程でトラブルが発見された場合、各ロット単位で工程調査を行う必要があったが、本実施の形態によれば、各チップ単位に調査範囲を限定することが可能なので、処理の効率化を図ることができる。
【００５６】
図２２には、図２１の情報テーブルをさらに拡張した例が示されている。図示のチップＩＤ情報テーブルには、図２１の情報テーブルの内容に加えて、出荷先、包装形態、出荷日などの出荷情報や、クレーム履歴などの出荷後のフィールドクレーム情報が付加されている。このように、図２２に示すようなチップの履歴情報テーブルには、出荷情報やクレーム情報を適宜チップＩＤ情報をキー情報として追加更新していくことができる。
【００５７】
かかる品質情報テーブルを使用することで、ユーザから納品した半導体装置の品質面に関するクレームがあった場合に、各半導体製造工程の処理履歴との突き合わせや、同一クレーム内容を持つチップＩＤ情報の検索や、そのチップ群における共通要素の分析などを実施することができる。その結果、従来は困難であった、不良チップ解析の調査範囲の絞り込みが可能となり、半導体装置の品質向上及びユーザにとっての品質保障面においても多大な効果を期待できる。
【００５８】
以上、添付図面を参照しながら、本発明の好適な実施形態にかかる半導体チップ、半導体チップの製造方法、リードフレーム、リードフレームの製造方法、半導体装置及び半導体装置の製造方法について説明したが、本発明はかかる例に限定されない。当業者であれば、特許請求の範囲に記載された技術的思想の範疇内において各種の変更例または修正例に想到し得ることは明らかであり、それらについても当然に本発明の技術的範囲に属するものと了解される。
【００５９】
以上説明したように、本発明によれば、チップＩＤ情報に基づいて、ウェハ上に配列されるチップごとに、あるいはチップがボンディングされたリードフレームごとに、あるいは樹脂封止された半導体チップのパッケージ製品ごとに、それぞれ固有の二次元バーコードパターンを付することにより、各チップごと、各フレームごと、樹脂封止された各製品チップごとに個別に情報管理を行うことが可能であり、半導体製造工程における各処理工程、物流工程、出荷工程、クレーム処理工程など、半導体製造に関するすべての工程において半導体装置の情報管理の効率化及び精度を向上させることができる。
【符号の説明】
【００６０】
１０  二次元バーコードパターン
１１  升目
３０  チップＩＤ情報用二次元バーコードパターン
３１  チップ
４０  液晶マスク
４１  チップＩＤ発生部
４２  二次元バーコード変換部
４３  液晶ドライバ
７０  組立工程情報管理システム
７１  プロービング用ＬＡＮ
７２  ブリッジ
７３  組立工程用ＬＡＮ
７４  データサーバ
７５  データベース
７６  ダイスボンダ
７７  ワイヤボンダ
７８  捺印機
７９  チップソータ
９１  フレームＩＤ情報用二次元バーコードパターン
９２  チップ
９３  フレーム
１７１  半導体装置
１７２  文字情報
１７３  製品ＩＤ情報用二次元バーコードパターン
【図１】
2011124587.tif 000003
【図２】
2011124587.tif 000004
【図３】
2011124587.tif 000005
【図４】
2011124587.tif 000006
【図５】
2011124587.tif 000007
【図６】
2011124587.tif 000008
【図７】
2011124587.tif 000009
【図８】
2011124587.tif 000010
【図９】
2011124587.tif 000011
【図１０】
2011124587.tif 000012
【図１１】
2011124587.tif 000013
【図１２】
2011124587.tif 000014
【図１３】
2011124587.tif 000015
【図１４】
2011124587.tif 000016
【図１５】
2011124587.tif 000017
【図１６】
2011124587.tif 000018
【図１７】
2011124587.tif 000019
【図１８】
2011124587.tif 000020
【図１９】
2011124587.tif 000021
【図２０】
2011124587.tif 000022
【図２１】
2011124587.tif 000023
【図２２】
2011124587.tif 000024